(57)【要約】【課題】パーツを切断したりするときの安全性を高めたデザインナイフを提供する。【解決手段】先端に刃を保持する刃保持部１１を備えた把持体１０からなるデザインナイフ１に関し、把持体１０にまな板刃体２０を枢着する。まな板刃体２０は、把持体１０との枢着軸３０を支点として作用点部２２と力点部２３をもち、作用点部２２に、刃保持部１１に保持された刃１２と対向するまな板刃２４を備える。力点部２３の操作で作用点部２２のまな板刃２４を刃１２に対し回動させることが可能である。【選択図】図１
2020069214.tif 000002
【特許請求の範囲】
【請求項１】
先端に刃を保持する刃保持部を備えた把持体からなるデザインナイフにおいて、
前記把持体にまな板刃体を枢着してあり、該まな板刃体は、前記把持体との枢着軸を支点として作用点部と力点部をもち、前記作用点部に、前記刃保持部に保持された刃と対向するまな板刃を備え、そして、前記力点部の操作で前記作用点部のまな板刃を前記刃に対し回動させることが可能であることを特徴とする、デザインナイフ。
【請求項２】
前記まな板刃体の長さが前記把持体よりも短い、請求項１に記載のデザインナイフ。
【請求項３】
前記把持体にレールを形成し、該レールに沿って前後進するスライド体を設け、該スライド体が、前進位置で前記まな板刃体の力点部の後端に係止し、後退位置で該係止を解く、請求項２に記載のデザインナイフ。
【請求項４】
前記まな板刃体を前記把持体から開く方向に付勢する付勢装置が、前記把持体又は前記まな板刃体に組み込まれている、請求項１〜３のいずれか１項に記載のデザインナイフ。
【発明の詳細な説明】
【技術分野】
【０００１】
ここに開示する発明は、デザインナイフ、特に、プラスチックモデルの組み立てに適した模型用のデザインナイフに関する。
【背景技術】
【０００２】
プラスチックモデル（プラスチック製の組み立て模型玩具）の組み立てにあたって各パーツを加工する際に、ゲートの切断跡をきれいに処理したり、細部を好みに加工したりするために、特許文献１に開示されるようなデザインナイフ（文献中ではペン型ナイフ）が使用される。デザインナイフは模型加工の様々な用途で使用されるが（例えば非特許文献１参照）、ペン型であるからその作業態様は、利き手でデザインナイフを持ち、他方の手でパーツ等を押さえつつ加工を行うというものになる。この作業態様の故に、力の加減を誤ると、パーツ等を押さえている方の手を傷つける危険がある。特に、ゲートの切断跡をきれいに処理する場合、最初にランナーとの間のゲートを他の適切な工具で切断してパーツを切り離し、そして、切り離したパーツに残ったゲートの切断跡をデザインナイフできれいに仕上げる作業を行うが、パーツが小さいと、パーツを持った手の指を傷つけやすい。
【０００３】
また、細長い銃身のある火器やアンテナなどの細いパーツの場合には、ランナーから切り離すときに最初から刃の薄いデザインナイフを使用したいところであるが、ペン型のデザインナイフでは手元が安定せず、パーツを損傷したり、指を傷つけたりすることがある。
【先行技術文献】
【特許文献】
【０００４】
【特許文献１】特開第５５９７２０８号公報
【非特許文献】
【０００５】
【非特許文献１】https://love-p.jp/tools-design-nife，ラブ・プラ，「プラモデル制作で使用するデザインナイフ・カッターナイフの解説」，２０１８年９月１４日検索
【発明の概要】
【発明が解決しようとする課題】
【０００６】
デザインナイフの切れ味は鋭くて、きれいにゲートを切断し処理するには最適なので、上記の点を考慮した安定性、安全性の高いデザインナイフがあれば好ましい。
【課題を解決するための手段】
【０００７】
この課題を解決するべく本発明は、先端に刃を保持する刃保持部を備えた把持体からなるデザインナイフについて、把持体にまな板刃体を枢着することを提案する。当該まな板刃体は、把持体との枢着軸を支点として作用点部と力点部をもち、その作用点部に、刃保持部に保持された刃と対向するまな板刃を備える。そして、力点部の操作で作用点部のまな板刃は、保持された刃に対し回動させることが可能とされている。
【０００８】
まな板刃体の長さは、把持体よりも短くするのがよく、好ましくは、まな板刃体の力点部の長さを、刃保持部を除いた把持体の長さの半分以下とするのがよい。この態様により、把持体を持った手の親指で力点部を楽に操作することができる。またこの場合、把持体を人の手で持つのに適した長さにできる一方、短い力点部は支点−力点の距離を短くすることで、作用点部にあるまな板刃を介して刃へ過大な力がかからないようにすることが可能である。
【０００９】
このまな板刃体を短くする態様についてはさらに、その力点部が短いことを利用して、まな板刃体を閉状態でロックする安全装置を設けることができる。すなわち、把持体にレールを形成し、該レールに沿って前後進するスライド体を設け、該スライド体が、前進位置でまな板刃体力点部の後端に係止し、後退位置で該係止を解くように作用する、安全装置である。
【発明の効果】
【００１０】
本発明に係るデザインナイフは、まな板刃をゲートにあてがって押さえつつ、反対側から刃保持部の刃でゲートを挟みながら切断することができるので、従来のデザインナイフに比べて格段に使用時の安定性が良く且つ安全である。
【図面の簡単な説明】
【００１１】
【図１】本発明の実施形態に係るデザインナイフの斜視図。
【図２】図１のデザインナイフの分解図。
【図３】図１のデザインナイフをまな板刃体を閉じた状態で示した斜視図。
【図４】図１のデザインナイフの刃とまな板刃の突き合わせを示した図。
【図５】図１のデザインナイフの安全装置（スライド体）の操作を説明する図。
【図６】付勢装置を組み込んだ図１のデザインナイフを裏側から見た斜視図。
【図７】図６のデザインナイフの表側斜視図。
【発明を実施するための形態】
【００１２】
本発明に係るデザインナイフの実施形態を、図面を参照して説明する。
【００１３】
デザインナイフ１は、細長い概略長方形の把持体１０からなり、この把持体１０の先端に、把持体１０の軸から少し（数ミリ〜十数ミリ）オフセットさせて刃保持部１１が設けられている（図２参照）。すなわち、把持体１０の先端部分は、軸方向に対し斜めに延伸させてあり、この斜め延伸部分に刃保持部１１が設けられる。刃保持部１１は、デザインナイフの刃１２を着脱可能に保持する。すなわち、切れ味が悪くなったり刃先が欠けた場合に刃１２は交換可能である。このために刃保持部１１は、刃１２の外形に整合させて凹設した嵌入凹部１１ａと、嵌入凹部１１ａを覆うようにして螺子１１ｂにより固定され、嵌入凹部１１ａに嵌め入れられた刃１２を押さえ付ける押圧片１１ｃとからなる。嵌入凹部１１ａの形状に従って刃１２は、刃先が把持体１０の軸線に平行となるようにして保持される。
【００１４】
把持体１０には、まな板刃体２０が、枢着軸となる枢着螺子３０で回動可能に枢着される。枢着軸をなす枢着螺子３０は、図２に示す把持体１０の先端部分に設けた枢着軸孔１３及びまな板刃体２０の枢着軸孔２１を貫通し、裏側で六角ナット３１により固定される。把持体１０には、ナット３１を回転しないように受け入れる受容凹部１４（図６参照）が形成されている。受容凹部１４を形成する以外にも、ナット３１自体を緩み止めナットとしたりする、周知の技術を利用してよい。
【００１５】
まな板刃体２０は、枢着螺子３０による枢着軸を支点としたテコの原理で作用点となる作用点部２２と、力点となる力点部２３とを有する。その作用点部２２に、刃保持部１１に保持された刃１２と対向するまな板刃２４を有する。まな板刃２４は、図３に示すようにまな板刃体２０の閉状態で、刃保持部１１に保持された刃１２の刃先に当接する（図４も参照）。まな板刃２４は、刃１２との当接端面２４ａが刃１２よりも厚く形成され、刃１２の刃先を受け止める形状にしてある。切断面をきれいにするには、当接端面２４ａの厚さはできるだけ薄いほうがよい。
【００１６】
まな板刃体２０において、力点部２３は、作用点部２２に対してオフセット（数ミリ〜十数ミリ）させて設けられている。すなわち、枢着軸孔２１が位置する作用点部２２の端から延びた延長部２５が形成されており、この延長部２５の先に、図３の閉状態で把持体１０の軸と平行になる軸をもった概略長方形の力点部２３が形成される。延長部２５は、上述した把持体１０の斜めに延伸した先端部分とは逆の方向に延長されるので、力点部２３は閉状態において把持体１０と平行になることができる。
【００１７】
本実施形態の把持体１０及びまな板刃体２０は射出成形による樹脂製とし、強度を得るため表面に適宜リブを形成してある。すなわち、把持体１０及びまな板刃体２０は大量生産可能であり、デザインナイフ１の低価格化に大きく貢献する。高精度が要求されないので、把持体１０及びまな板刃体２０は、樹脂製以外にも、鉄系材料のプレス加工品などとすることもできる。もちろん、好みによっては工具鋼からの削り出しとしたりしてもよい。
【００１８】
本実施形態の場合、まな板刃体２０の長さは、把持体１０の長さよりも短くしてある。好適には、刃保持部１１を除いた把持体１０の長さ（枢着軸３０から後端までの長さ）に対し、まな板刃体２０の力点部２３の長さを半分以下にする。把持体１０は、人の手で持つのに適した長さすることができる一方、これより短いまな板刃体２０の力点部２３は、支点−力点の距離を短くすることで、作用点のまな板刃２４に対向する刃１２に過大な力がかからないように工夫され、また、把持体１０を持った手の親指で特に刃を閉じる方向へ操作することが容易になる。
【００１９】
まな板刃体２０は、不用意に開くことのないように、安全装置により閉状態でロックできる（図３）。安全装置は、把持体１０においてまな板刃体２０の力点部２３が届かない部位に形成したレール１５と、該レール１５と係合し且つ該レール１５に沿って前後進するスライド体４０とから構成される。スライド体４０は、先端の凸部４１が図３の前進位置で、閉状態にあるまな板刃体２０の力点部２３の後端に突設された２つの爪２６の間へ係止し、まな板刃体２０を閉状態でロックする。この前進位置から、ロック解除すべく図５Ａに示すようにスライド体４０を矢示Ａ方向へスライドさせ、後退位置まで後退させると、図５Ｂに示すとおり、凸部４１と爪２６との係止が解除されてまな板刃体２０が解放され、矢示Ｂ方向へ回動させて開状態にすることができる。
【００２０】
図６及び図７に、変形例を示す。この例は、まな板刃体２０を開状態へ付勢する付勢装置として、バネ５０を把持体１０に組み込んだ形態である。なお、把持体１０に付勢装置を組み込む例を示すが、同様の形態でまな板刃体２０の方に付勢装置を組み込むことも可能である。図示の例において、把持体１０には、バネ５０を収容する収容凹部１６が形成されており、この収容凹部１６内に、軸支ピン１７が突設されている。バネ５０には、樹脂製のＵ字形バネ、あるいは金属製のトーションバネや板バネ等を使用することができ、その基部５１にある軸支孔を軸支ピン１７に嵌め込むことで収容凹部１６に装着される。基部５１から延びる２つの腕部５２，５３のうちの一方の腕部５２が収容凹部１６の側壁に当接し、他方の腕部５３が屈曲して収容凹部１６から突出し、この突出した腕部５３がまな板刃体２０の力点部２３に当接して、把持体１０から開く方向へ付勢する。付勢装置は、この他にも、把手体１０とまな板刃体２０との間に挿入されるコイルスプリングなどとすることもできる。
【００２１】
上記実施形態に係るデザインナイフ１は、まな板刃体２０を外して使用することも可能であり、この場合は従来型の普通のデザインナイフのように使用することができる。この形態は、比較的怪我をし難い、パーツを自分好みに加工するときなどに利用可能である。
【００２２】
ここに開示したデザインナイフ１は、一例として、他の工具でゲートを切断してランナーから切り離したパーツにおいてそのゲートの切断跡をきれいに仕上げる処理を行う場合に、把持体１０を手に持ち、開状態にしたまな板刃体２０の作用点部２２にあるまな板刃２４をゲートの切断跡にあてがってまな板刃２４と刃１２で切断跡を挟み、そして、力点部２３を親指で押す操作で作業することができる。ペン型の従来型デザインナイフと違ってまな板刃２４をあてがうことができるので、作業時の手元が安定し（刃１２の移動距離も制限され）、ペン型のように力の入れ具合で不用意に刃が滑ってパーツを持った手を傷つけることもなく、安全である。
【００２３】
以上、好適な実施形態を説明したが、例えば把手体１０に対するまな板刃体２０の長さなど、細部については、使用目的等に応じて適宜変更を加えることができる。
【符号の説明】
【００２４】
１  デザインナイフ
１０  把持体
１１  刃保持部
１１ａ  嵌入凹部
１１ｂ  螺子
１１ｃ  押圧片
１２  刃
１３  枢着軸孔
１５  レール
１６  収容凹部（付勢装置の）
１７  軸支ピン
２０  まな板刃体
２１  枢着軸孔
２２  作用点部
２３  力点部
２４  まな板刃
２５  延長部
２６  爪
３０  枢着螺子（枢着軸）
３１  ナット
４０  スライド体（安全装置）
４１  凸部
５０  バネ（付勢装置）
５１  基部
５２，５３  腕部
【図１】
2020069214.tif 000003
【図２】
2020069214.tif 000004
【図３】
2020069214.tif 000005
【図４】
2020069214.tif 000006
【図５】
2020069214.tif 000007
【図６】
2020069214.tif 000008
【図７】
2020069214.tif 000009